(57)【要約】【課題】形状がシンプルで、成形工程が少なく、少ない工程で組み立てることができることを課題とする。【解決手段】筐体１２には電池２２が収納可能な電池収納部２０が形成されており、この電池収納部２０と電池蓋２６とにヒンジベルト３２がインサート成形されている。電池収納部２０内に収納された電池２２を交換する際に電池蓋２６を筐体１２から取り外した時、電池蓋２６は筐体１２にヒンジベルト３２によって連結されている。したがって、電池蓋２６は筐体１２から離れ落ちることがないので、電池蓋２６の紛失が防止できる。また、電池蓋２６とヒンジベルト３２と筐体１２とを一体品として成形することで、筐体１２に必要とされる部品点数が少なく済み、組付工数が削減されてコストダウンに繋がる。【選択図】    図２
2004233752.tif 000002
【特許請求の範囲】
【請求項１】
カメラ本体に形成され、電池が収納可能とされた収納部と、前記収納部を覆い、該収納部の開口を閉塞する蓋部材と、
前記収納部と前記蓋部材とにインサート成形され、両者を連結する弾性帯と、を備えたことを特徴とする電池収納部。
【請求項２】
前記弾性帯は、熱可塑性エラストマーからなることを特徴とする請求項１に記載の電池収納部。
【請求項３】
前記弾性帯に形成された凸部が、前記蓋部材の表面から突出することを特徴とする請求項１または請求項２に記載の電池収納部。
【請求項４】
前記収納部は前記カメラ本体の角部に形成され、前記蓋部材の表面がカメラレンズ側にあることを特徴とする請求項１〜請求項３のいずれかに記載の電池収納部。
【請求項５】
前記蓋部材には爪部が形成され、前記収納部には前記爪部を掛止する掛止部が形成されたことを特徴とする請求項１〜請求項４のいずれかに記載の電池収納部。
【請求項６】
前記弾性帯は、前記収納部の開口が前記蓋部材で閉塞されたとき、前記収納部の開口の内側に収納されることを特徴とする請求項１〜請求項５のいずれかに記載の電池収納部。
【請求項７】
前記弾性帯は、前記蓋部材を開放方向に付勢していることを特徴とする請求項２〜請求項６のいずれかに記載の電池収納部。
【発明の詳細な説明】
【０００１】
【発明の属する技術分野】
本発明はデジタルカメラ等の電子機器の電池収納部に関する。
【０００２】
【従来の技術】
従来より、デジタルカメラ等の電子機器は電池を電源としており、電子機器にはこの電池を収納する電池収納部が形成されている。この電池収納部に電池を収納したときに、電池蓋で電池収納部の開口部を閉じることによって電池が電子機器の外部へ飛び出ることを防ぐようになっている。
【０００３】
この電池収納部内の電池を交換する場合には、電池蓋を外して電池収納部内の古い電池を取出し、新しい電池を電池収納部内に収納することで、電池交換を行う。このとき、外した電池蓋を落とすことがあり、屋外で電池蓋を落とした場合には発見することが困難で、紛失してしまうことが多い。また、電池蓋は硬質の樹脂から形成されていることが多く、落下の際に破損することもある。
【０００４】
そこで、電子機器本体と電池蓋とをひも等の連結部材で連結し、電池蓋の落下を防止する方法が用いられている（特許文献１を参照）。
【０００５】
図４に示すように、蓋本体１０４の一端から延設されたヒンジベルト１０６によってケース１０２に繋げられたヒンジ付き蓋１００がある。
【０００６】
このヒンジベルト１０６はエラストマーからなり、ヒンジベルト１０６の一端が蓋本体１０４と一体成形されている。一方、ヒンジベルト１０６の他端は、ケース１０２に設けられたヒンジ挿通部１０８に係止される。これによって、蓋本体１０４のケース１０２からの抜け落ちが防止されている。
【０００７】
しかし、この構造においては、第１の工程で蓋本体１０４とヒンジベルト１０６とを一体成形し、第２の工程でケース１０２を成形しなければならず、生産上の工程数が多くなる上に、ヒンジベルト１０６をヒンジ挿通部１０８に取付ける工程が必要となる。また、蓋本体１０４の端部からヒンジベルト１０６が延出しているため、蓋本体１０４を閉じたとき、ヒンジベルト１０６が蓋本体１０４とケース１０２との連結部から逃げる構造を採る必要があるため、ヒンジ挿通部１０８の形状が複雑となる。
【０００８】
【特許文献１】
特開平１０−１７００８号（第２−３項、第１図）
【０００９】
【発明が解決しようとする課題】
本発明は、上記事実を考慮して成されたものであり、形状がシンプルで、成形工程が少なく、少ない工程で組み立てることができる電池収納部を提供することを目的とする。
【００１０】
【課題を解決するための手段】
上記課題を解決するために、請求項１に係る本発明の電池収納部は、カメラ本体に形成され、電池が収納可能とされた収納部と、前記収納部を覆い、該収納部の開口を閉塞する蓋部材と、前記収納部と前記蓋部材とにインサート成形され、両者を連結する弾性帯と、を備えたことを特徴としている。
【００１１】
請求項１に記載の発明によれば、カメラ本体には電池が収納可能な収納部が形成されており、この収納部と収納部を覆って開口を閉塞する蓋部材とに弾性帯がインサート成形されている。
【００１２】
収納部内に収納された電池を交換する際に蓋部材をカメラ本体から取り外した時、この蓋部材はカメラ本体に弾性帯によって連結されている。したがって、蓋部材はカメラ本体から離れ落ちることがないので、蓋部材の紛失が防止できる。また、蓋部材と弾性帯とカメラ本体とを、インサート成形によって一体品として成形することで、カメラ本体に必要とされる部品点数が少なく済み、組付工数が削減されてコストダウンに繋がる。
【００１３】
また、カメラ本体と蓋部材とを連結する部分に弾性帯を用いることで、蓋部材の開閉が行い易く、プラスチック材のヒンジ構造とした場合に比べて、高頻度の開閉動作による材質の劣化がない。
【００１４】
請求項２に係る本発明の電池収納部は、前記弾性帯は、熱可塑性エラストマーからなることを特徴としている。
【００１５】
請求項２に記載の発明によれば、優れた耐疲労性を保有するエラストマーを収納部と蓋部材との連結部分に使用することで、蓋部材の開閉頻度が非常に多くても、材質の疲労による破損の心配がない。また、引っ張り強度にも優れるため、ある程度の引っ張り荷重が加わった場合でも、破損する恐れが少ない。
【００１６】
さらに、エラストマーは被着体に強い接着力を示すのでインサート成形に適しており、樹脂製の蓋部材とカメラ本体とに一体成形する部材として最適である。
【００１７】
請求項３に係る本発明の電池収納部は、前記弾性帯に形成された凸部が、前記蓋部材の表面から突出することを特徴としている。
【００１８】
請求項３に記載の発明によれば、弾性帯に形成された凸部を蓋部材の表面から突出させることで、蓋部材を開閉させる時に、この凸部に指を掛けて蓋部材を開放方向または閉塞方向へ移動させることができ、これによって蓋部材の開閉が行い易くなる。また、この凸部はカメラ本体の外面に突出しているので、カメラ本体を把持する際にグリップとして使用できる。さらに、凸部はエラストマーで形成されているので滑りにくく、グリップとして最適である。また、これまでは、カメラ本体にグリップを設けたとき、グリップの外観をカメラ本体の外面と異なるように後工程で外観処理を行っていたが、そのような後工程の必要がなく、カメラ本体の形成に要する時間短縮及びコスト削減に繋がる。
【００１９】
請求項４に係る本発明の電池収納部は、前記収納部は前記カメラ本体の角部に形成され、前記蓋部材の表面がカメラレンズ側にあることを特徴としている。
【００２０】
請求項４に記載の発明によれば、カメラ本体の角部に収納部が形成されており、蓋部材の表面がカメラレンズ側にあることで、蓋部材に形成された凸部がカメラレンズ側に設けられることになる。したがって、撮影するとき指が掛かり、カメラ本体を把持し易くなる。
【００２１】
請求項５に係る本発明の電池収納部は、前記蓋部材には爪部が形成され、前記収納部には前記爪部を掛止する掛止部が形成されたことを特徴としている。
【００２２】
請求項５に記載の発明によれば、蓋部材には爪部が形成されており、収納部に形成された掛止部に掛止されるようになっている。これによって、蓋部材はカメラ本体の掛止部に爪部が掛止されてロックされた状態となり、このロック状態を解除しない限り、蓋部材が開くことがない。
【００２３】
請求項６に係る本発明の電池収納部は、前記弾性帯は、前記収納部の開口が前記蓋部材で閉塞されたとき、前記収納部の開口の内側に収納されることを特徴としている。
【００２４】
請求項６に記載の発明によれば、蓋部材によって収納部の開口が閉塞されたとき、弾性帯が収納部の開口の内側に収納されるので、カメラ本体の外観を損なうことがない。
【００２５】
請求項７に係る本発明の電池収納部は、前記弾性帯は、前記蓋部材を開放方向に付勢していることを特徴としている。
【００２６】
請求項７に記載の発明によれば、弾性帯はエラストマーからなり付勢力を有するので、蓋部に形成された爪部を収納部に形成された掛止部から外すだけで、蓋部材は付勢力によって開放方向へ開き、電池の出し入れを行うことが出来る。
【００２７】
【発明の実施の形態】
図１には、本発明のデジタルカメラ１０が示されている。
【００２８】
デジタルカメラ１０は箱状の筐体１２を有し、この筐体１２の前面１２Ａには撮影用のレンズ１４、撮影用発光部材１６（ストロボ）等の部材が設けられている。また、上面にはシャッタースイッチ１８が、背面には図示しない液晶ディスプレイが設けられている。
【００２９】
図２に示すように、筐体１２の前面１２Ａと一方の側面１２Ｂとで形成される角部には、電池収納部２０が形成されており、電池２２が収容可能とされている。本実施形態では２本の電池２２を立て向きに２本、平行となるように収納可能となっている。
【００３０】
電池収納部２０には、電池収納部２０の開口部２４の開閉を行う電池蓋２６が設けられており、電池蓋２６を開放させることで電池収納部２０内に電池２２を収納あるいは取出すことができるようになっている。また、この電池蓋２６は、板部２８と板部３０とで垂直方向から見たときに略Ｌ字状で形成されており、それぞれ開口部２４の筐体１２の前面１２Ａ部分と、開口部２４の筐体１２の側面１２Ｂ部分とを覆うことで、電池収納部２０の開閉が行われる。
【００３１】
一方、図２及び図３（Ａ）に示すように、側面１２Ｂ側の開口部２４の垂直方向の端部には、エラストマーからなる長尺帯状のヒンジベルト３２の一端がインサート成形によって一体成形されている。ヒンジベルト３２は、開口部２４の内側部分に設けられており、筐体１２の外観を損なうことがないようにされている。また、ヒンジベルト３２の幅寸法は、開口部２４の垂直方向の一辺よりも小さくされ、且つ、中央部に配置され、収納部２０内に収納可能となっている。
【００３２】
一方、ヒンジベルト３２の他端は、電池蓋２６に一体となるようにインサート成形されている。これによって、筐体１２と電池蓋２６とは、ヒンジベルト３２によって一体となっている。このとき、ヒンジベルト３２は電池蓋２６の内側の面と密着されており、電池蓋２６の開閉操作の邪魔にならないようにされている。
【００３３】
なお、ここでは、ヒンジベルト３２は電池蓋２６の内側の面と同一の面となるように形成したが、電池蓋２６の板部２８、３０の板厚内に埋設するように形成しても良い。また、電池蓋２６の内側の面から突出させ、電池蓋２６の内側の面に凸部を形成してもよい。
【００３４】
また、ヒンジベルト３２の他端の先端部には凸部３４が形成されている。凸部３４は板部２８から電池蓋２６の表面側（レンズ１４側）に突出しており、電池蓋２６で開口部２４を閉塞した場合に筐体１２の外観面から突出するようになっている。これによって、この凸部３４は筐体１２を把持した際のグリップとなる。さらに、凸部３４は角部全が円弧状に面取りされているので把持し易くなっており、この円弧状の面取りはグリップの外観を良くする効果もある。
【００３５】
電池蓋２６の板部３０の垂直方向の端部３０Ａには段部３６が形成されている。段部３６は、開口部２４を閉塞したときに内側となる面（裏面）から延設されており、筐体１２の側面１２Ｂの開口部２４の内側の面に形成された凹部３８に掛止されるようになっている。電池蓋２６で開口部２４を閉塞する際に、段部３６を凹部３８に引っ掛けることで、電池蓋２６が筐体１２から外れることなく、開口部２４を閉塞する。
【００３６】
また、電池蓋２６の板部２８の垂直方向の端部２８Ａの中央部分には、電池蓋２６の裏面から爪部４０が延設されている。一方、筐体１２の前面１２Ａの開口部２４の内側には、掛止部４２が形成されており、爪部４０が係合可能とされている。これによって、電池蓋２６を閉じたとき、爪部４０が掛止部４２に係合され、電池蓋２６は開口部２４にロックされ、電池収納部２０内の電池２２が筐体１２の外へ飛び出すことがないようになっている。
【００３７】
次に、本実施形態のデジタルカメラ１０の作用を説明する。
【００３８】
デジタルカメラ１０の筐体１２に形成された電池収納部２０に電池２２を収納するときには、まず電池蓋２６を図３（Ｃ）に示すように開放状態とし、電池収納部２０に電池２２を挿入する。
【００３９】
次に、図３（Ａ）に示すように、電池蓋２６に形成された段部３６を筐体１２の開口部２４に形成された凹部３８に掛止し、段部３６と凹部３８とを軸として電池蓋２６を回動させて開口部２４を閉塞する。このとき、電池蓋２６の爪部４０を開口部２４の掛止部４２に係合させることで、電池蓋２６は開口部２４にロックされ、電池収納部２０内に収納された電池２２が電池収納部２０内に収納される。
【００４０】
電池収納部２０内の電池２２を交換する際には、図３（Ｂ）に示すように、電池蓋２６の板部２８の先端部分に電池収納部２０側へ押し込む力を付与する。これによって電池蓋２６の爪部４０が掛止部４２から外れると同時に、電池蓋２６の段部３６を開口部２４の凹部３８から外すことが可能となり、電池蓋２６は開口部２４へ移動して、開口部２４を開放する。
【００４１】
図２に示すように、筐体１２には電池２２が収納可能な電池収納部２０が形成されており、この電池収納部２０と電池収納部２０を覆って開口部２４を閉塞する電池蓋２６とにヒンジベルト３２がインサート成形されている。
【００４２】
電池収納部２０内に収納された電池２２を交換する際に電池蓋２６を筐体１２から取り外した時、この電池蓋２６は筐体１２にヒンジベルト３２によって連結されている。したがって、電池蓋２６は筐体１２から離れ落ちることがないので、電池蓋２６の紛失が防止できる。また、電池蓋２６とヒンジベルト３２と筐体１２とを、インサート成形によって一体品として成形することで、筐体１２に必要とされる部品点数が少なく済み、組付工数が削減されてコストダウンに繋がる。
【００４３】
また、筐体１２と電池蓋２６とを連結する部分にヒンジベルト３２を用いることで、電池蓋２６の開閉が行い易く、プラスチック材のヒンジ構造とした場合に比べて、高頻度の開閉動作による材質の劣化がない。その上、電池蓋２６の開閉頻度が非常に多くても、材質の疲労による劣化の心配がなく、引っ張り強度にも優れるため、ある程度の引っ張り荷重が加わった場合でも、破損する恐れがない。
【００４４】
ヒンジベルト３２に形成された凸部３４を電池蓋２６の表面から突出させることで、電池蓋２６に凸部３４が形成される。この凸部３４は筐体１２の外面に突出しているので、筐体１２を把持する際にグリップとして使用できる。また、電池蓋２６を開閉させる時、この凸部３４に指を掛けて開放あるいは閉塞方向へ電池蓋２６を移動させればよく、これによって電池蓋２６の開閉が行い易くなる。さらに、凸部３４はエラストマーからなるヒンジベルト３２で形成されているので滑りにくく、グリップとして最適である。
【００４５】
電池蓋２６には爪部４０が形成されており、収納部２０に形成された凹部３８に掛止されるようになっている。これによって、電池蓋２６は筐体１２の凹部３８に爪部４０が掛止されてロックされた状態となり、このロック状態を解除しない限り、電池蓋２６が開くことがない。
【００４６】
また、ヒンジベルト３２は付勢力を有するので、電池蓋２６に形成された爪部４０を収納部２０に形成された凹部３８から外すだけで、電池蓋２６は付勢力によって開放方向へ開き、電池２２の出し入れを行うことが出来る。
【００４７】
なお、本実施形態では、開口部２４の筐体１２の側面１２Ｂ側の垂直方向の端部にヒンジベルト３２を取付けたが、ヒンジベルト３２を取付ける位置は筐体１２の前面１２Ａ側の垂直方向の端部でもよく、さらには開口部２４の水平方向の端部に取付けてもよい。
【００４８】
また、ヒンジベルト３２は筐体１２の外観を損ねることがないように、開口部２４の内部と電池蓋２６の裏面に取付けたが、筐体１２の外面と電池蓋２６の外面に取付けてもよい。
【００４９】
さらに、本実施形態ではデジタルカメラの電池収納部として説明したが、デジタルカメラに限定されることはなく、例えば、ヘッドフォンステレオ等の音声発生装置、携帯型ゲーム機、電話機等、電池収納部を有するものであれば、同様の作用効果を得ることができる。また、電池収納部に限らず、蓋部材を備えるものであっても同様の効果が得られる。
【００５０】
【発明の効果】
本発明は上記構成としたので、形状がシンプルで、成形工程が少なく、少ない工程で組み立てることができる。
【図面の簡単な説明】
【図１】本発明の実施形態に係る電池収納部の斜視図である。
【図２】本発明の実施形態に係る電池収納部の電池蓋を開放した状態を示す斜視図である。
【図３】（Ａ）本発明の実施形態に係る電池収納部の電池蓋を閉塞した状態を示す水平方向の断面図であり、（Ｂ）電池蓋を開放させようとしたときの状態を示す水平方向の断面図であり、（Ｃ）電池蓋を開放させたときの状態を示す水平方向の断面図である。
【図４】（Ａ）従来の電池収納部の電池蓋を開放した状態を示す断面図であり、（Ｂ）電池蓋を閉塞した状態を示す断面図である。
【符号の簡単な説明】
１０    デジタルカメラ
１２    筐体（カメラ本体）
２０    電池収納部（収納部）
２２    電池
２４    開口部（開口）
２６    電池蓋（蓋部材）
３２    ヒンジベルト（弾性帯）
３４    凸部
４０    爪部
４２    掛止部
【図１】
2004233752.tif 000003
【図２】
2004233752.tif 000004
【図３】
2004233752.tif 000005
【図４】
2004233752.tif 000006